(57)【要約】【課題】用紙の縁部からの露出部分を一定にして用紙に貼り付けることが容易な付箋を提供すること。【解決手段】付箋１０は、矩形形状であり、該矩形の１辺であるインデックス辺１０４に平行な直線を境界線１０６とするとき、境界線１０６のインデックス辺１０４と反対の側に境界線１０６上の１点１０６ａから境界線１０６上の他の１点１０６ｂまでの曲線状の切り込み１０２を備え、片面の貼付部１０８に、剥離自在かつ剥離後の貼着可能な糊が塗布されている。【選択図】図１
0003218776.tif 000002
【実用新案登録請求の範囲】
【請求項１】
矩形形状であり、
該矩形の１辺であるインデックス辺に平行な直線を境界線とするとき、
前記境界線の前記インデックス辺と反対の側に前記境界線上の１点から前記境界線上の他の１点までの曲線状の切り込みを備え、
片面の貼付部に、剥離自在かつ剥離後の貼着可能な糊が塗布されていることを特徴とする、付箋。
【請求項２】
前記貼付部は、前記境界線の前記インデックス辺と反対の側の、前記切り込みの前記境界線と反対の側のみに設けられていることを特徴とする、請求項１に記載の付箋。
【請求項３】
前記インデックス辺と前記境界線との間が、他の箇所とは異なる色に着色されていることを特徴とする、請求項１又は２に記載の付箋。
【請求項４】
矩形形状であり、
該矩形の１辺である第１インデックス辺に平行な直線を第１境界線とし、該矩形の前記第１インデックス辺と交差する１辺である第２インデックス辺に平行な直線を第２境界線とするとき、
前記第１境界線及び前記第２境界線の前記第１インデックス辺及び前記第２インデックス辺と反対の側に前記第１境界線上の１点から前記第２境界線上の１点までの曲線状の切り込みを備え、
片面の貼付部に、剥離自在かつ剥離後の貼着可能な糊が塗布されていることを特徴とする、付箋。
【請求項５】
前記貼付部は、前記第１境界線及び前記第２境界線の前記第１インデックス辺及び前記第２インデックス辺と反対の側の、前記切り込みの前記第１境界線及び前記第２境界線側のみに設けられていることを特徴とする、請求項４に記載の付箋。
【請求項６】
前記第１インデックス辺と前記第１境界線との間及び前記第２インデックス辺と前記第２境界線との間が、他の箇所とは異なる色に着色されていることを特徴とする、請求項４又は５に記載の付箋。
【考案の詳細な説明】
【技術分野】
【０００１】
本考案は、用紙等に貼り付けて使用される付箋に関する。
【背景技術】
【０００２】
従来から、用紙等の縁部に貼り付けるインデックスラベルとして、あるいは、メモ等を記入して用紙等に貼り付けるシールとして、付箋が用いられている（たとえば、特許文献１参照）。当該付箋は一般的に紙で形成されており、表面に鉛筆やボールペンで文字等を記入することができ、裏面の端部に設けられた貼付部により用紙等に着脱可能となっている。
【先行技術文献】
【特許文献】
【０００３】
【特許文献１】実用新案登録第３２０５５０７号公報
【考案の概要】
【考案が解決しようとする課題】
【０００４】
このような付箋をメモ書き可能なインデックスラベルとして使用する場合、用紙の縁部からの付箋の露出部分を一定にして用紙に貼り付けるのが難しく、用紙の束に複数の付箋を貼り付ける場合、各付箋の長さや向きが不揃いになるという問題があった。また、付箋を用紙に貼り付けた後に、付箋が用紙から容易に剥がれたり位置がずれたりするという問題があった。
【０００５】
本考案は、用紙の縁部からの露出部分を一定にして用紙に貼り付けることが容易な付箋を提供することを課題とする。
また、本考案は、用紙から容易に剥がれたり位置がずれたりすることのない付箋を提供することを課題とする。
また、本考案は、メモ書き可能なインデックスラベルとして使用することが可能な付箋を提供する。
【課題を解決するための手段】
【０００６】
本考案の付箋は、
矩形形状であり、
該矩形の１辺であるインデックス辺に平行な直線を境界線とするとき、
前記境界線の前記インデックス辺と反対の側に前記境界線上の１点から前記境界線上の他の１点までの曲線状の切り込みを備え、
片面の貼付部に、剥離自在かつ剥離後の貼着可能な糊が塗布されていることを特徴とする。
【０００７】
この特徴によれば、付箋の切り込みに用紙を挟み、付箋の貼付部に用紙を貼着することで、付箋を用紙に貼り付けた際に付箋が用紙の縁部から露出する部分を一定にすることができる。また、このように用紙に貼り付けられた付箋は、用紙から容易に剥がれたり位置がずれたりすることがない。なお、ここで、「矩形形状」とは、厳密な矩形形状に限らず、例えば、矩形の角を面取りした形状をも含む概念である。
【０００８】
本考案の付箋は、
前記貼付部は、前記境界線の前記インデックス辺と反対の側の、前記切り込みの前記境界線と反対の側のみに設けられていることを特徴とする。
【０００９】
この特徴によれば、付箋を着脱する際に切り込みの端部にかかる応力を軽減することができるため、切り込みの端部を起点として付箋が破れるのを防ぐことができる。
【００１０】
本考案の付箋は、
前記インデックス辺と前記境界線との間が、他の箇所とは異なる色に着色されていることを特徴とする。
【００１１】
この特徴によれば、付箋が用紙から露出する領域が着色されているため、用紙から露出する部分が、インデックスとして機能する。
【００１２】
本考案の付箋は、
矩形形状であり、
該矩形の１辺である第１インデックス辺に平行な直線を第１境界線とし、該矩形の前記第１インデックス辺と交差する１辺である第２インデックス辺に平行な直線を第２境界線とするとき、
前記第１境界線及び前記第２境界線の前記第１インデックス辺及び前記第２インデックス辺と反対の側に前記第１境界線上の１点から前記第２境界線上の１点までの曲線状の切り込みを備え、
片面の貼付部に、剥離自在かつ剥離後の貼着可能な糊が塗布されていることを特徴とする。
【００１３】
この特徴によれば、付箋の切り込みに用紙を挟み、付箋の貼付部に用紙の角部を貼着することで、付箋を用紙に貼り付けた際に付箋が用紙の縁部から露出する部分を一定にすることができる。また、このように用紙に貼り付けられた付箋は、用紙から容易に剥がれたり位置がずれたりすることがない。
【００１４】
本考案の付箋は、
前記貼付部は、前記第１境界線及び前記第２境界線の前記第１インデックス辺及び前記第２インデックス辺と反対の側の、前記切り込みの前記第１境界線及び前記第２境界線側のみに設けられていることを特徴とする。
【００１５】
この特徴によれば、付箋を安定して用紙に固定することができる。
【００１６】
本考案の付箋は、
前記第１インデックス辺と前記第１境界線との間及び前記第２インデックス辺と前記第２境界線との間が、他の箇所とは異なる色に着色されていることを特徴とする。
【００１７】
この特徴によれば、付箋が用紙から露出する領域が着色されているため、付箋をメモ書き可能なインデックスラベルとして使用することができる。
【考案の効果】
【００１８】
本考案によれば、付箋の切り込みに用紙を挟み、付箋の貼付部に用紙を貼着することで、付箋を用紙に貼り付けた際に付箋が用紙の縁部から露出する部分を一定にすることができる。また、このように用紙に貼り付けられた付箋は、用紙から容易に剥がれたり位置がずれたりすることがない。
【図面の簡単な説明】
【００１９】
【図１】図１は、第１実施形態に係る付箋の平面図である。
【図２】図２は、同実施形態に係る付箋を用紙に貼り付けた状態の説明図である。
【図３】図３は、第２実施形態に係る付箋の平面図である。
【図４】図４は、同実施形態に係る付箋を用紙に貼り付けた状態の説明図である。
【考案を実施するための形態】
【００２０】
以下、本考案の実施形態を図面を参照して詳細に説明する。
【００２１】
（第１実施形態）
図１は、第１実施形態に係る付箋１０の平面図である。付箋１０は矩形形状の紙で形成されている。
【００２２】
当該付箋１０には用紙を挟むための切り込み１０２が設けられている。当該切り込み１０２は、付箋１０の１辺をインデックス辺１０４とし、当該インデックス辺１０４に平行な直線を境界線１０６とすると、当該境界線１０６上の１点１０６ａから他の１点１０６ｂまで、当該境界線１０６のインデックス辺１０４と反対の側に、曲線状に設けられている。なお、この「曲線」は、一部に直線を含む曲線をも含む概念である。
【００２３】
付箋１０の片面（以下、「裏面」という）１０ｂには、当該裏面１０ｂを用紙等に貼着するための貼付部１０８が設けられている。この貼付部１０８は、境界線１０６のインデックス辺１０４と反対の側であって、切り込み１０２の境界線１０６と反対の側のみに設けられている。当該貼付部１０８には、剥離自在かつ剥離後の貼着可能な糊が塗布されている。
【００２４】
このような位置に貼付部１０８を設けることにより、貼付部１０８を切り込み１０２の境界線１０６側の領域に設ける場合よりも、複数枚積層された付箋１０から１枚を取る時に切り込み１０２の端部（１０６ａ、１０６ｂ）にかかる応力が小さくなる。これにより、切り込み１０２の端部から切れ目が入って付箋１０が破れるのを防ぐことができる。
【００２５】
付箋１０の表面１０ａにおけるインデックス辺１０４と境界線１０６との間は、他の箇所とは異なる色に着色されている。本実施形態では、例えば、インデックス辺１０４と境界線１０６との間は赤に着色されており、他の箇所は白に着色されている。
【００２６】
上記構成の付箋１０は、複数枚積層され、付箋１０の束として製造・販売される。
【００２７】
図２には、付箋１０を用紙２０に貼り付けた様子を示す。同図に示すように、付箋１０の切り込み１０２の端部（１０６ａ、１０６ｂ）に用紙２０の縁部が接触するように、付箋１０の切り込み１０２に用紙２０を挟み、付箋１０の貼付部１０８に当該用紙２０を貼着する。端部（１０６ａ、１０６ｂ）は境界線１０６上の２点なので、境界線１０６が用紙２０の縁部に一致して配される。付箋１０が用紙２０の縁部から露出する方向を境界線１０６に直交する一定の方向とすることができ、露出する長さを境界線１０６とインデックス辺１０４の距離の一定の長さとすることができる。したがって、書類等の用紙２０の束に複数の付箋１０を貼り付ける場合、複数の付箋１０が用紙２０の束から露出する部分を一定に揃えることができ、付箋１０同士の位置合わせを容易に行うことができる。また、このように用紙２０に貼着された付箋１０は、容易に剥がれたり位置がずれたりすることがない。
【００２８】
また、付箋１０を用紙２０に貼り付けた際に付箋１０が用紙２０の縁部から露出する領域、すなわち、インデックス辺１０４と境界線１０６との間の領域が赤色に着色されているため、用紙から露出する部分がインデックスとして機能する。また、付箋１０の表面１０ａにおける白色の領域、すなわち、境界線１０６のインデックス辺１０４と反対の側の、切り込み１０２の境界線１０６と反対の側の領域には、鉛筆やボールペンでメモ書きをすることができる。
【００２９】
なお、付箋１０の裏面１０ｂにおけるインデックス辺１０４と境界線１０６との間の領域についても、表面１０ａにおけるインデックス辺１０４と境界線１０６との間の領域に着色した色と同様の色に着色するのが好ましい。これにより、用紙２０を裏面から見たときにも付箋１０をインデックスとして有効に機能させることができる。
【００３０】
また、インデックス辺１０４と境界線１０６との間の色は、赤以外にも、青、緑、オレンジ、ピンク等、色のバリエーションを持たせることで、インデックスラベルとして有効に機能させることができる。また、他の箇所の色は、白以外にも、鉛筆やボールペンで記入した文字等が認識できる程度の薄い色に着色してもよい。
【００３１】
（第２実施形態）
次に、本考案の第２実施形態について説明する。図３は、第２実施形態に係る付箋３０の平面図である。付箋３０は矩形形状の紙で形成されている。なお、この「矩形形状」は。厳密な矩形形状に限らず、例えば、矩形の角を面取りした形状をも含む概念である。
【００３２】
当該付箋３０には用紙の角を挟むための切り込み３０２が設けられている。当該切り込み３０２は、当該付箋３０の矩形の１辺を第１インデックス辺３０４とし、第１インデックス辺３０４に平行な直線を第１境界線３０６とし、第１インデックス辺３０４と交差する１辺を第２インデックス辺３０８とし、当該第２インデックス辺３０８に平行な直線を第２境界線３１０とするとき、第１境界線３０６及び第２境界線３１０の第１インデックス辺３０４及び第２インデックス辺３０８と反対の側に、第１境界線３０６上の１点３０６ａから第２境界線３１０上の１点３１０ａまで曲線状に設けられている。なお、この「曲線」は、一部に直線を含む曲線をも含む概念である。
【００３３】
付箋３０の片面（以下、「裏面」という）３０ｂには、当該裏面３０ｂを用紙等に貼着するための貼付部３１２が設けられている。この貼付部３１２は、第１境界線３０６及び第２境界線３１０の第１インデックス辺３０４及び第２インデックス辺３０８と反対の側であって、切り込み３０２の第１境界線３０６及び第２境界線３１０側のみに設けられている。当該貼付部３１２には、剥離自在かつ剥離後の貼着可能な糊が塗布されている。このような位置に貼付部３１２を設けることにより、付箋３０を用紙に安定して固定することができる。
【００３４】
付箋３０の表面３０ａにおける第１インデックス辺３０４と第１境界線３０６との間、及び第２インデックス辺３０８と第２境界線３１０との間は、他の箇所とは異なる色に着色されている。本実施形態では、例えば、第１インデックス辺３０４と第１境界線３０６との間、及び第２インデックス辺３０８と第２境界線３１０との間は、赤に着色されており、他の箇所は白に着色されている。
【００３５】
また、本実施形態では、付箋３０の表面３０ａにおける第１インデックス辺３０４に対向する辺３０５と。当該辺３０５に平行であって第２境界線３１０上の１点３１０ａを通る直線との間、及び、第２インデックス辺３０８に対向する辺３０９と。当該辺３０９に平行であって第１境界線３０６上の１点３０６ａを通る直線との間についても、赤に着色されている。これにより、付箋３０の輪郭を判り易くすることができる。なお、上記領域は、用紙に貼り付けた際に隠れる領域であるため、着色は必須ではない。
【００３６】
上記構成の付箋３０は、１枚の台紙の上に複数枚積層されて付箋３０の束として製造・販売される。
【００３７】
図４には、付箋３０を用紙４０に貼り付けた様子を示す。付箋３０の切り込み３０２の端部（３０６ａ、３１０ｓ）に用紙４０の縁部が接触するように、付箋３０の切り込み３０２に用紙４０の角を挟み、付箋３０の貼付部３１２に当該用紙４０を貼着することで、付箋３０が用紙４０の角から露出する部分を一定にすることができ、書類等の用紙４０の束の中における複数の付箋３０の位置を容易に揃えることができる。また、付箋３０を用紙４０の角に貼り付けることにより、用紙４０をファイルに閉じた場合であっても、ファイルを閉じた状態で角の付箋３０を視認することができ、当該付箋３０に基づいて所望の用紙４０を探し出すことができる。また、このように用紙４０に貼着された付箋３０は容易に剥がれたり位置がずれたりすることがない。
【００３８】
また、付箋３０を用紙４０に貼り付けた際に付箋３０が用紙４０の縁部から露出する部分、すなわち、第１インデックス辺３０４と第１境界線３０６との間、及び第２インデックス辺３０８と第２境界線３１０との間は、他の箇所とは異なる色に着色されているため、用紙から露出する部分がインデックスとして機能する。また、付箋３０の表面３０ａにおける白色の領域、すなわち、第１境界線３０６及び第２境界線３１０の第１インデックス辺３０４及び第２インデックス辺３０８と反対の側の、切り込み３０２の第１境界線３０６及び第２境界線３１０側の領域には、鉛筆やボールペンでメモ書きをすることができる。
【００３９】
なお、付箋３０の裏面３０ｂにおける第１インデックス辺３０４と第１境界線３０６との間、及び第２インデックス辺３０８と第２境界線３１０との間の領域についても、表面３０ａにおける第１インデックス辺３０４と第１境界線３０６との間、及び第２インデックス辺３０８と第２境界線３１０との間の領域に着色した色と同様の色に着色するのが好ましい。これにより、用紙４０を裏面から見たときにも付箋３０をインデックスとして有効に機能させることができる。
【００４０】
また、付箋３０の裏面３０ｂにおける第１インデックス辺３０４に対向する辺３０５と。当該辺３０５に平行であって第２境界線３１０上の１点３１０ａを通る直線との間、及び、第２インデックス辺３０８に対向する辺３０９と。当該辺３０９に平行であって第１境界線３０６上の１点３０６ａを通る直線との間の領域についても、赤に着色してもよい。これにより、付箋３０の表面３０ａ及び裏面３０ｂの輪郭をはっきりとさせることができ、また、付箋３０を用紙４０に貼り付けた際に、表面３０ａのメモ書きできる領域と、裏面のメモ書きできない領域との区別がつき易い。
【００４１】
なお、第１インデックス辺３０４と第１境界線３０６との間及び第２インデックス辺３０８と第２境界線３１０との間の色は、赤以外にも、青、緑、オレンジ、ピンク等、色のバリエーションを持たせることで、インデックスラベルとして有効に機能させることができる。また、他の箇所の色は、白以外にも、鉛筆やボールペンで記入した文字等が認識できる程度の薄い色に着色してもよい。
【産業上の利用可能性】
【００４２】
本考案の付箋は、用紙等に貼り付けるメモ用紙としても、インデックスラベルとしても利用することができる。
【符号の説明】
【００４３】
１０      付箋
１０２    切り込み
１０４    インデックス辺
１０６    境界線
１０６ａ  境界線上の１点
１０６ｂ  境界線上の他の１点
１０８    貼付部
２０      用紙
３０      付箋
３０２    切り込み
３０４    第１インデックス辺
３０５    第１インデックス辺に対向する辺
３０６    第１境界線
３０６ａ  第１境界線上の１点
３０８    第２インデックス
３０９    第２インデックス辺に対向する辺
３１０    第２境界線
３１０ａ  第２境界線上の１点
３１２    貼付部
４０      用紙
【図１】
0003218776.tif 000003
【図２】
0003218776.tif 000004
【図３】
0003218776.tif 000005
【図４】
0003218776.tif 000006